(57)【要約】      （修正有）【課題】防盗性を高めることができる錠装置を提供する。【解決手段】錠装置１は、挿入部５２が挿入される連結孔４を備えたケース３と、連結孔４内に進入することで連結孔４に挿入された挿入部５２と係合する一方、連結孔４内から退避することで当該連結孔４内に挿入された挿入部５２との係合を解除するロック部材５と、所定の解錠キー８によって施錠位置と解錠位置との間で回転操作されるプラグ７と、施錠位置から解錠位置へのプラグ７の回転操作に伴ってロック部材５を係合位置から係合解除方向に移動させる第１カム部２１を備えるカム部材２０と、ロック部材５を連結孔４内に進入する方向へ付勢するとともに、ロック部材５に形成されたカム当接部５ｂを第１カム部２１に当接させる圧縮スプリング６と、プラグ７が施錠位置にあるときにロック部材５に対して係合解除方向への移動を規制する回動部材１５と、を有している。【選択図】図２
2017214740.tif 000002
【特許請求の範囲】
【請求項１】
屈曲自在な拘束体の端部に形成された挿入部が挿入される連結孔を備えたケースと、
前記ケース内に往復移動可能に収容されており、前記連結孔内に進入することで当該連結孔に挿入された前記挿入部と係合する一方、前記連結孔内から退避することで当該連結孔内に挿入された前記挿入部との係合を解除するロック部材と、
前記ケース内に収容され、所定の解錠キーによって施錠位置と解錠位置との間で回転操作されるプラグと、
施錠位置から解錠位置への前記プラグの回転操作に伴って前記ロック部材を係合位置から係合解除方向に移動させる第１カム部を備えるカム部材と、
前記ロック部材を前記連結孔内に進入する方向へ付勢して、前記ロック部材に形成されたカム当接部を前記第１カム部に当接させる付勢手段と、
前記プラグが施錠位置にあるときに前記ロック部材に対して係合解除方向への移動を規制する規制手段と、
を有することを特徴とする錠装置。
【請求項２】
前記規制手段は、
前記ロック部材と隣接して配置された回動部材と、
前記回動部材の中間部を回動自在に支持する支持部材と、を有し、
前記回動部材は、第１係合部を一方の端部に備えるとともに、前記連結孔内に延出する延出部を他方の端部に備えており、
前記回動部材は、前記連結孔に挿入された前記挿入部が前記延出部を押動することで回動し、前記第１係合部が前記ロック部材に設定された係合受け部と係合することを特徴とする請求項１に記載された錠装置。
【請求項３】
前記カム部材は、前記施錠位置から前記解錠位置への前記プラグの回転操作に伴って前記第１係合部が前記係合受け部から外れる方向へと前記回動部材を回動させる第２カム部をさらに備え、
前記回動部材は、前記第２カム部と当接する第２係合部をさらに有することを特徴とする請求項２に記載された錠装置。
【請求項４】
前記規制手段は、前記挿入部の抜去方向に向けて前記回動部材の延出部を付勢する付勢手段をさらに有することを特徴とする請求項２又は３に記載された錠装置。
【請求項５】
前記規制手段は、前記カム部材に突設された突起部であり、
前記突起部は、前記プラグが施錠位置にあるときに、前記係合解除方向にかけて前記カム当接部と隣接する位置に配置されたことを特徴とする請求項１に記載された錠装置。
【発明の詳細な説明】
【技術分野】
【０００１】
本発明は、錠装置に関する。
【背景技術】
【０００２】
従来より、拘束体の端部に設けられた挿入部が錠装置の連結孔内に挿入されると、錠装置内のロック部材と係合させて挿入部を連結する錠装置が知られている。この類の錠装置は、例えば自転車や自動二輪車の盗難防止装置として利用されている。
【０００３】
例えば特許文献１には、丸筒形のロック本体に形成された錠孔に、ワイヤーロープの先端に結合された錠杆（挿入部）を挿入して連結するワイヤロックの構造が開示されている。このワイヤロックにおいて、ロック本体内に形成された空洞には、奥側に係止筒（ロック部材）が挿入されており、手前側にはシリンダ錠が挿入されている。空洞の奥側端部には戻しばねが配置されており、係止筒は戻しばねによりシリンダ錠方向へと付勢されている。シリンダ錠が施錠位置にある場合、係止筒の先端部に形成された斜面カムは、シリンダ錠の端面に形成された斜面カムに突き当たりつつ、係止筒が錠孔を部分的に塞ぐ状態となる。これにより、錠孔からロック本体内に挿入された錠杆の縮径部が係合し、錠杆が連結される。一方、シリンダ錠が施錠位置から解錠位置へと回転操作されるとシリンダ錠の斜面カムが回動し、戻しばねの付勢力に抗して係止筒を空洞の奥側へと移動させる。この係止筒の移動に伴い、錠孔が開放され、ロック本体の錠孔から錠杆を抜き取ることができる。
【０００４】
このような構成においては、錠杆をロック本体に挿入して連結する場合には、錠孔に錠杆を挿入する力を与えることで、係止筒には戻しばねの付勢力に抗して空洞の奥側へと移動させる力が作用する。係止筒が移動すると錠孔が開放されるので、錠孔へと錠杆を挿入することができる。錠杆が挿入された後は、係止筒は戻しばねにより初期位置まで復帰し、係止筒が錠孔を部分的に塞ぎ、これにより、錠杆が連結される。この構成によれば、シリンダ錠に対してキー操作を行うことなく、錠杆をロック本体に連結することができる。したがって、ワンタッチ操作により施錠が可能となり、利用者の利便性の向上を図ることができる。
【先行技術文献】
【特許文献】
【０００５】
【特許文献１】実開昭６０−１１９７５号公報
【発明の概要】
【発明が解決しようとする課題】
【０００６】
しかしながら、特許文献１に開示された手法によれば、錠装置側のロック部材と拘束体の挿入部との係合状態が、ロック部材に与えられた付勢力のみによって維持されている。そのため、連結孔に工具等を挿入することにより、ロック部材が変位して係合状態が解除されてしまう可能性がある。
【０００７】
本発明はかかる事情に鑑みてなされたものであり、その目的は、防盗性を高めることができる錠装置を提供する。
【課題を解決するための手段】
【０００８】
かかる課題を解決するために、本発明は、屈曲自在な拘束体の端部に形成された挿入部が挿入される連結孔を備えたケースと、ケース内に往復移動可能に収容されており、連結孔内に進入することで当該連結孔に挿入された挿入部と係合する一方、連結孔内から退避することで当該連結孔内に挿入された挿入部との係合を解除するロック部材と、ケース内に収容され、所定の解錠キーによって施錠位置と解錠位置との間で回転操作されるプラグと、施錠位置から解錠位置へのプラグの回転操作に伴ってロック部材を係合位置から係合解除方向に移動させる第１カム部を備えるカム部材と、ロック部材を連結孔内に進入する方向へ付勢して、ロック部材に形成されたカム当接部を第１カム部に当接させる付勢手段と、プラグが施錠位置にあるときにロック部材に対して係合解除方向への移動を規制する規制手段と、を有する錠装置を提供する。
【０００９】
ここで、本発明において、規制手段は、ロック部材と隣接して配置された回動部材と、回動部材の中間部を回動自在に支持する支持部材と、を有することが好ましい。この場合、回動部材は、第１係合部を一方の端部に備えるとともに、連結孔内に延出する延出部を他方の端部に備えており、回動部材は、連結孔に挿入された挿入部が延出部を押動することで回動し、第１係合部がロック部材に設定された係合受け部と係合することが好ましい。
【００１０】
また、本発明において、カム部材は、施錠位置から解錠位置へのプラグの回転操作に伴って第１係合部が係合受け部から外れる方向へと回動部材を回動させる第２カム部をさらに備えることが好ましい。この場合、回動部材は、第２カム部と当接する第２係合部をさらに有することが望ましい。
【００１１】
また、本発明において、規制手段は、挿入部の抜去方向に向けて回動部材の延出部を付勢する付勢手段をさらに有することが好ましい。
【００１２】
また、本発明において、規制手段は、カム部材に突設された突起部であり、この突起部は、プラグが施錠位置にあるときに、係合解除方向にかけてカム当接部と隣接する位置に配置されることが好ましい。
【発明の効果】
【００１３】
本発明によれば、連結孔内に工具等が差し込まれることでロック部材が退避し、これにより、ロック部材と挿入部との係合状態が解除される事態を抑制することができる。その結果、防盗性を高めることができる。
【図面の簡単な説明】
【００１４】
【図１】第１の実施形態に係る錠装置に適用される拘束体を示す説明図
【図２】第１の実施形態に係る錠装置を示す説明図
【図３】図２に示す錠装置におけるＡＡ断面及びＢＢ断面を示す説明図
【図４】カム部材の説明図
【図５】施錠位置における錠装置を示す説明図
【図６】施錠位置において拘束体が連結された状態の錠装置を示す説明図
【図７】施錠位置と解錠位置との間に位置する錠装置を示す説明図
【図８】解錠位置における錠装置の状態を示す説明図
【図９】第１の実施形態に係る錠装置の変形例を示す説明図
【図１０】第２の実施形態に係る錠装置の内部構造を模式的に示す説明図
【図１１】第２の実施形態に係るカム部材を示す説明図
【発明を実施するための形態】
【００１５】
（第１の実施形態）
図１は、本実施形態に係る錠装置１に適用される拘束体５０を示す説明図である。同図において、（ａ）は錠装置１に対して拘束体５０をループ状に連結した状態を示す平面図であり、（ｂ）は折り畳んだ状態の拘束体５０を示す平面図であり、（ｃ）は（ｂ）に示す拘束体５０の正面図である。図２は、本実施形態に係る錠装置１を示す説明図である。同図において、（ａ）は錠装置１の内部構造を模式的に示す説明図であり、（ｂ）は（ａ）に示す錠装置１に関するＡ１矢視図である。また、図３は、図２に示す錠装置１の断面状態を示す説明図である。同図において、（ａ）は図２のＡＡ断面に相当し、（ｂ）は図２のＢＢ断面に相当する。なお、本明細書では、説明の便宜上、図２（ａ）に記載された錠装置１の状態を基準として「上」、「下」、「左」及び「右」の用語を用いるが、錠装置１の構成及び動作をこれらの用語の意味に限定するものではない。
【００１６】
本実施形態に係る錠装置１は、拘束体５０の両端を当該錠装置１に挿入し、拘束体５０をループ状に連結することにより施錠対象を拘束する装置である。この錠装置１は、所謂ワイヤ錠として使用される装置である。
【００１７】
拘束体５０は、屈曲自在に連結された複数のアーム５１から構成されており、図１（ｂ）及び（ｃ）に示すように、不使用時には折り畳んで保管することができる。個々のアーム５１は、焼入鋼等により形成された芯材と、その表面に被覆された合成樹脂製の表皮材とで構成されている。
【００１８】
拘束体５０の両端に位置する各アーム５１の先端には、角柱形状又は円柱形状の挿入部５２がそれぞれ形成されている。個々の挿入部５２には、後述するロック部材５が係合する被係合溝５２ａが形成されている。被係合溝５２ａは、例えば、当該挿入部５２の軸方向と直交する方向に延在する凹状の溝で形成されている。
【００１９】
錠装置１は、ケース３、ロック部材５、プラグ７、回動部材１５及びカム部材２０を主体に構成されている。
【００２０】
ケース３は、ほぼ直方体形状を有する箱体であり、ロック部材５、プラグ７、回動部材１５及びカム部材２０をその内部に収容している。ケース３は、拘束体５０の挿入部５２が挿入される一対の連結孔４を備えている。一対の連結孔４は、後述するプラグ７の回転中心に対して対称位置に、互いに対向するように形成されている。個々の連結孔４は、ケース３の側壁面から中央に向って凹状に形成された空間部であり、挿入部５２の外形形状と対応している。
【００２１】
ロック部材５は、ケース３内を上下方向（挿入部５２の挿入方向と直交する方向）に往復移動して、連結孔４内に進入する又は連結孔４内から退避する部材である。このロック部材５は、ロック位置、すなわち、ロック部材５が連結孔４内に進入して拘束体５０の被係合溝５２ａに係合する位置と、係合解除位置、すなわち、ロック部材５が連結孔４内から退避して被係合溝５２ａとの係合が完全に解除される位置との間で往復移動する。
【００２２】
ロック部材５は、略矩形断面形状を有するブロック状部材で構成されており、一対の連結孔４に対応して２箇所に配設されている。個々のロック部材５は、圧縮スプリング６により、連結孔４内へ進入する方向（上方向）に付勢されている。
【００２３】
ロック部材５において上下方向に延在する内側壁面のうち、ロック部材５の先端（上端）側には、窪み形状の段差部５ａ１が設定されている。図２（ａ）に示すように、段差部５ａ１は、ロック部材５が係合位置にある場合に段差部５ａ１の下方に位置する内側壁面の一部が連結孔４内に進入するように、ロック部材５の先端側のみに限定的に設定されている。また、段差部５ａ１とロック部材５の先端面との連設部は斜面形状に設定されている。
【００２４】
また、ロック部材５の先端面（上端面）と、ロック部材５の外側壁面とが連設する部位には、面取状に斜めに切り落とされたガイド斜面５ａ２が設定されている。図２（ａ）に示すように、ガイド斜面５ａ２は、ロック部材５が係合位置にある場合に、その外側壁面のうち連結孔４内へ進入した領域に設定されている。
【００２５】
また、ロック部材５の基端部（下端部）と、ロック部材５の内側壁面とが連設する部位には、ケース３の中心方向へと張り出した凸形状のカム当接部５ｂが形成されている。このカム当接部５ｂは、後述するカム部材２０の第１カム部２１と当接する機能を担っている。
【００２６】
さらに、ロック部材５の内側壁面には、段状に切り欠かれた係合受け部５ｃが設けられている。この係合受け部５ｃは、後述する回動部材１５の第１係合部１５ａと係合する機能を担っている。
【００２７】
このような構成のロック部材５は、後述するカム部材２０により、係合位置と、ロック部材５の先端部がわずかに連結孔４内に進入した暫定停止位置との間で駆動される。暫定停止位置は、係合位置と係合解除位置との間に存在する。
【００２８】
プラグ７は、その軸長方向をケース３の長手方向に一致させてケース３の中心部に配置されており、プラグ７の下端に設けられたキー差込口７ａがケース３の下面に形成された開口を介して外部に露出している。プラグ７は、キー差込口７ａから挿入される真正な解錠キー８によってのみ回転操作することができ、この回転操作を通じて施錠位置と解錠位置とを選択することができる。本実施形態において、プラグ７の解錠位置は、施錠位置から時計周りに９０°回転させた位置及び施錠位置から反時計周りに９０°回転させた位置に各々設定される。
【００２９】
回動部材１５は、プラグ７が施錠位置にあるときにロック部材５に対して係合解除方向への移動を規制する。回動部材１５は、一対のロック部材５に対応してそれぞれ設けられており、各ロック部材５と隣接して配置されている。回動部材１５は、例えば、帯状の平板を中央部で二つ折りし、折曲部（平板の中央部）を境に連続する第１平板片及び第２平板片のそれぞれを所要の形状に屈曲して形成されている。回動部材１５は、支持部材１７により、その中央部を回動可能に支持されている。
【００３０】
回動部材１５は、第１係合部１５ａ、延出部１５ｂ、軸受部１５ｃ及び第２係合部１５ｄを備えている。
【００３１】
第１係合部１５ａは、第１平板片の先端に位置している。この第１係合部１５ａは、ロック部材５に向けて突出するように第１平板片の先端部が鉤状に屈曲形成されている。もっとも、第１係合部１５ａは、係合受け部５ｃと係合する機能を備えるものであればよく、鉤状であることに限定されるものではない。
【００３２】
延出部１５ｂは、第１平板片及び第２平板片の基端部、すなわち、平板の折曲部に相当する部位である。延出部１５ｂは、連結孔４内に延出している。
【００３３】
軸受部１５ｃは、回動部材１５の中央部に位置し、支持部材１７が挿通される部位である。軸受部１５ｃは、第１平板片及び第２平板片を略クランク状に屈曲して構成されている。軸受部１５ｃは、第１平板片と第２平板片とで支持部材１７を両側から挟み込むことで支持部材１７と係合する機能を備えるとともに、支持部材１７に対して回動部材１５を位置決めする機能を備えている。
【００３４】
第２係合部１５ｄは、第２平板片の先端部に位置している。第２平板片の先端部は、後述するカム部材２０の円柱状空間部２３内に挿入されており、第２係合部１５ｄは、後述する第２カム部２２に向けて突出するように第２平板片の先端部が凸状に屈曲形成されている。
【００３５】
ケース３は、一方の連通孔４と他方の連通孔４との間を、挿入部５２の挿入方向に沿って連通する圧縮スプリング挿通孔３ａを有している。図３（ａ）に示すように、ケース３において、一対の連通孔４が形成されたケース要素は、２つの部材を中央で組み合わせて構成されており、個々の部材に形成された半円形状の溝が合わされることにより、圧縮スプリング挿通孔３ａが構成される。この圧縮スプリング挿通孔３ａには、圧縮スプリング１８が挿通されている。圧縮スプリング１８は、その両端が、左右の連結孔４内に各々挿通された回動部材１５の延出部１５ｂにそれぞれ当接するように配置されている。すなわち、圧縮スプリング１８は、左右の回動部材１５に対して共用化された仕様となっている。
【００３６】
この回動部材１５は、連結孔４内に挿入部５２が挿入されていないときは、圧縮スプリング１８の付勢力を受けて延出部１５ｂが押し出され、第１係合部１５ａがロック部材５の係合受け部５ｃから外れるように構成されている（図５参照）。以下、この状態を「ロック部材解除状態」という。一方、連結孔４内に挿入部５２が挿入されているときは、延出部１５ｂは挿入部５２によって連結孔４内の奥側端面に位置付けられる。このとき、回動部材１５は、第１係合部１５ａが係合位置にあるロック部材５の係合受け部５ｃに進入し、かつ、第２係合部１５ｄが第２カム部２２と当接するように構成されている。以下、この状態を「ロック部材係合状態」という。さらに、第１係合部１５ａは、ロック部材係合状態において、係合受け部５ｃとの間にロック部材５の移動方向にかけて所定の空隙が生じるように設定されている。
【００３７】
図４は、カム部材２０の説明図である。同図において、（ａ）はカム部材２０を下方から眺めた図であり、（ｂ）は（ａ）に示すカム部材２０に関するＡ１矢視図であり、（ｃ）は（ａ）に示すカム部材２０に関するＡ２矢視図である。また、（ｄ）は（ｂ）に示すカム部材２０に関するＡ３矢視図である。
【００３８】
カム部材２０は、プラグ７の回転操作に応じて回転動作する部材である。本実施形態において、プラグ７は汎用の製品を使用するために、カム部材２０は、プラグ７上端に連結されるアタッチメント１３を介してプラグ７に連結される。具体的には、カム部材２０は、中心部に穿設される角孔２０ａをプラグ７に連結されたアタッチメント１３の軸部に外嵌することによりプラグ７に対して空転不能に連結されている。もっとも、カム部材２０は、プラグ７に一体形成することもできる。
【００３９】
カム部材２０には、施錠位置から解錠位置へのプラグ７の回転操作に伴ってロック部材５を係合位置から暫定停止位置まで移動させるための第１カム部２１が形成されている。第１カム部２１は、カム部材２０の上端部周囲にフランジ状に突出した周縁部の下面に凹凸を形成することにより構成されている。具体的には、第１カム部２１は、低背部２１ａ、高背部２１ｂ、及び、高背部２１ｂと低背部２１ａとをそれぞれ接続する一対の斜面部２１ｃから構成される。
【００４０】
第１カム部２１は、図４（ａ）に示すように、プラグ７が施錠位置にあるときに、各ロック部材５のカム当接部５ｂが低背部２１ａに対応するように構成されている。また、第１カム部２１は、施錠位置から時計回り又は反時計回りに回転すると、一方のロック部材５のカム当接部５ｂが回転方向に対応する斜面部２１ｃに対応し、他方のロック部材５のカム当接部５ｂが低背部２１ａに対応するように構成される。そして、第１カム部２１は、９０°回転してプラグ７が解錠位置にあるときには、一方のロック部材５のカム当接部５ｂが高背部２１ｂに対応し、他方のロック部材５のカム当接部５ｂが低背部２１ａに対応するように構成される。
【００４１】
また、カム部材２０には、施錠位置から解錠位置へのプラグ７の回転操作に伴って回動部材１５の第１係合部１５ａがロック部材５の係合受け部５ｃから外れる方向へと回動部材１５を回動させるための第２カム部２２が形成されている。第２カム部２２は、カム部材２０の上端面に軸方向に形成された円柱状空間部２３の内周壁面に凹凸を形成することにより構成されている。具体的には、第２カム部２２は、低背部２２ａと、一対の高背部２２ｂとで構成されている。
【００４２】
第２カム部２２は、図４（ｄ）に示すように、プラグ７が施錠位置にあるときに、回動部材１５の第２係合部１５ｄが低背部２２ａに対応するように構成されている。また、第２カム部２２は、施錠位置から時計回り又は反時計回りに回転すると、第２係合部１５ｄが回転方向に対応する一方の高背部２２ｂへと乗り上げるように構成されている。この場合において、高背部２２ｂは、施錠位置から回転操作されたときに、ロック部材５のカム当接部５ｂが斜面部２１ｃに乗り上げるよりも前に、回動部材１５の第２係合部１５ｄが高背部２２ｂに乗り上げるように構成されている。
【００４３】
以下、図５から図８を参照し、本実施形態に係る錠装置１の動作を説明する。錠装置１の動作の説明では、一方の連結孔４に対する挿入部５２の挿抜動作を示すが、他方の連結孔４に対する動作についても同様である。
【００４４】
ここで、図５は、施錠位置における錠装置１を示す説明図であり、図６は、施錠位置において拘束体５０が連結された状態の錠装置１を示す説明図である。また、図７は、施錠位置と解錠位置との間に位置する錠装置１を示す説明図であり、図８は、解錠位置における錠装置１の状態を示す説明図である。図５から図８において、（ａ）は、錠装置１の内部構成を示す説明図であり、（ｂ）は、カム部材２０を下方から示す図である。また、図７において、（ｃ）は、カム部材２０を上方から示す図である。
【００４５】
まず、図５に示すように、解錠キー８が抜かれてプラグ７が施錠位置にある状態において、カム当接部５ｂは、第１カム部２１の低背部２１ａに位置しており、圧縮スプリング６により低背部２１ａに押し付けられている。低背部２１ａはロック部材５が係合位置に到達する高さに設定されており、ロック部材５は係合位置に存在している。一方、拘束体５０の挿入部５２が連結孔４内に挿入されていないため、回動部材１５は、圧縮スプリング１８による付勢力により、ロック部材解除状態に位置している。
【００４６】
この状態で、矢印ＦＡで示すように、拘束体５０の挿入部５２を連結孔４に押し込むと、まず、挿入部５２がガイド斜面５ａ２に当接する。挿入部５２の押し込み操作を続けると、ガイド斜面５ａ２にはロック部材５を下方に押し付ける分力が発生する。この際、第１カム部２１はカム当接部５ｂの上方に位置し、また、第１係合部１５ａも係合受け部５ｃから外れている。そのため、ロック部材５の下方への移動は、圧縮スプリング６の付勢力以外にはなんら規制されない。このため、ロック部材５は、その分力により下方に移動する。
【００４７】
ロック部材５は、挿入部５２の先端部をかわした後、被係合溝５２ａに合致すると、圧縮スプリング６の付勢力により係合位置へと復帰する。ロック部材５は被係合溝５２ａに係合し、ロック部材５と被係合溝５２ａとが係合状態となる（図６参照）。
【００４８】
また、挿入部５２が連結孔４内の奥側端面へと到達する際には、挿入部５２の先端部が回動部材１５の延出部１５ｂを奥側に押し動かす。この押動力（押し込み力）により、回動部材１５がロック部材解除状態からロック部材係合状態へと回動することで、回動部材１５の第１係合部１５ａがロック部材５の係合受け部５ｃに入り込む（図６参照）。
【００４９】
ロック部材５が係合した状態においては、挿入部５２を抜き去るための操作力を加えても、被係合溝５２ａの壁面がロック部材５（内側壁面、又は段差部５ａ１）と接触することで係合状態が維持される。この際、ロック部材５に下方への分力が発生したとしても、回動部材１５の第１係合部１５ａが係合受け部５ｃと係合するため、ロック部材５が係合解除方向へと移動することが規制される。加えて、連結孔４内に工具等が差し込まれることで、ロック部材５が退避し、ロック部材５と挿入部５２との係合状態が解除される事態を抑制することができる。
【００５０】
図７に示すように、プラグ７が施錠位置から解錠位置に向けて回転操作されると、回動部材１５の第２係合部１５ｄが、第２カム部２２の高背部２２ｂへと乗り上げる。これにより、第２カム部２２から回動部材１５へと、当該回動部材１５を時計回りに回動させる力が付与される。
【００５１】
また、プラグ７の回転操作に伴いロック部材５のカム当接部５ｂが斜面部２１ｃに乗り上げると、ロック部材５が係合位置から退避し、下方（係合解除方向）へと移動する。回動部材１５の第１係合部１５ａと、ロック部材５の係合受け部５ｃとの間には空隙が確保されているので、ロック部材５は、第１係合部１５ａによって妨げられることなく、その空隙の分だけ退避することができる。
【００５２】
ロック部材５が下方へと移動すると、その内側壁面に形成された段差部５ａ１も相対的に下方へと移動する。このため、被係合溝５２ａの壁面とロック部材５（段差部５ａ１）との間に、挿入部５２が抜去方向へと移動するための一定のストローク量が確保される。このストローク量の存在により、延出部１５ｂが挿入部５２を抜去方向へと押すことが可能となる（図７参照）。したがって、第２カム部２２からの力、並びに圧縮スプリング１８からの力を受けて回動部材１５が回動すると、延出部１５ｂによって挿入部５２が抜去方向へと押し出される。
【００５３】
また、回動部材１５が回動することで、第１係合部１５ａが係合受け部５ｃから外れる。これにより、ロック部材５は、第１係合部１５ａに規制されることなく、下方へと移動することができる。
【００５４】
プラグ７が解錠位置へと到達すると、ロック部材５のカム当接部５ｂが斜面部２１ｃを通過して高背部２１ｂへと到達する。高背部２１ｂはロック部材５が暫定停止位置となる高さに設定されており、当該ロック部材５は暫定停止位置にて停止する。なお、他方のカム当接部５ｂは低背部２１ａに留まったままとなり、他方のロック部材５は依然係合位置に留まっている。これにより、他方の連結孔４に挿入された挿入部５２の抜き去りは規制されたままとなっている。
【００５５】
ロック部材５が暫定停止位置にある場合、被係合溝５２ａに対してロック部材５の進入状態がわずかに維持されている。そのため、拘束体５０の自重等によって挿入部５２が連結孔４から直ちに抜け落ちることはない。一方で、暫定停止位置において被係合溝５２ａは、段差部５ａ１と上端面との連設部（斜面形状）に対峙している。この状態から挿入部５２に所定の操作力（抜去力）を付与すると斜面形状の連設部に下方への分力が発生する。これにより、ロック部材５が係合解除位置まで押し下げられ、挿入部５２の抜去操作が可能になる（図８参照）。
【００５６】
そして、プラグ７が解錠位置から施錠位置へと回転操作されると、ロック部材５のカム当接部５ｂが斜面部２１ｃを経由して高背部２１ｂから低背部２１ａへと到達する。これにより、ロック部材５は、暫定停止位置から係合位置まで復帰する（図５に示す状態と同様）。一方、回動部材１５は、圧縮スプリング１８による付勢力により、ロック部材解除状態のままとなる（図５に示す状態と同様）。
【００５７】
このように本実施形態において、錠装置１は、屈曲自在な拘束体５０の端部に形成された挿入部５２が挿入される連結孔４を備えたケース３と、ケース３内を往復移動可能に構成されており、連結孔４内に進入することで連結孔４に挿入された挿入部５２と係合する一方、連結孔４内から退避することで当該連結孔４内に挿入された挿入部５２との係合を解除するロック部材５と、ケース３内に収容され、所定の解錠キー８によって施錠位置と解錠位置との間で回転操作されるプラグ７と、施錠位置から解錠位置へのプラグ７の回転操作に伴ってロック部材５を係合位置から係合解除方向に移動させる第１カム部２１を備えるカム部材２０と、ロック部材５を連結孔４内に進入する方向へ付勢するとともに、ロック部材５に形成されたカム当接部５ｂを第１カム部２１に当接させる圧縮スプリング（付勢手段）６と、プラグ７が施錠位置にあるときにロック部材５に対して係合解除方向への移動を規制する規制手段と、を有している。
【００５８】
この構成によれば、錠装置１が規制手段を備えているので、プラグ７が施錠位置にあるときにロック部材５が係合位置を維持することとなる。これにより、挿入部５２に対する抜去方向への操作力のみならず、連結孔４内に工具等が差し込まれることで、ロック部材５が退避し、ロック部材５と挿入部５２との係合状態が解除される事態を抑制することができる。これにより、防盗性を高めることができる。
【００５９】
本実施形態において、規制手段は、ロック部材５と隣接して配置された回動部材１５と、回動部材１５の中間部を回動自在に支持する支持部材１７と、を有している。ここで、回動部材１５は、第１係合部１５ａを一方の端部に備えるとともに、連結孔４内に延出する延出部１５ｂを他方の端部に備えている。そして、回動部材１５は、連結孔４に挿入された挿入部５２が延出部１５ｂを押動することで回動し、第１係合部１５ａがロック部材５に設定された係合受け部５ｃと係合している。
【００６０】
この構成によれば、連結孔４に挿入部５２が挿入されることで第１係合部１５ａがロック部材５の係合受け部５ｃと係合するので、プラグ７が施錠位置にあるときにロック部材５が係合位置を維持することとなる。これにより、挿入部５２に対する抜去方向への操作力のみならず、連結孔４内に工具等が差し込まれることで、ロック部材５が退避し、ロック部材５と挿入部５２との係合状態が解除される事態を抑制することができる。これにより、防盗性を高めることができる。
【００６１】
また、本実施形態において、カム部材２０は、施錠位置から解錠位置へのプラグ７の回転操作に伴って第１係合部１５ａが係合受け部５ｃから外れる方向へと回動部材１５を回動させる第２カム部２２をさらに備えている。一方、回動部材１５は、第２カム部２２と当接する第２係合部１５ｄをさらに有している。
【００６２】
この構成によれば、プラグ７を解錠位置へと回転操作した際には、第２カム部２２から作用力を受けて回動部材１５が、第１係合部１５ａが係合受け部５ｃから外れる方向へと回動する。これにより、プラグ７が施錠位置にあるときには、ロック部材５を係合位置に維持しつつ、プラグ７が解錠位置へと回転操作された際は、ロック部材５を適切に退避させることができる。
【００６３】
また、本実施形態において、第１係合部１５ａが係合受け部５ｃへと進入した状態において、第１係合部１５ａと係合受け部５ｃとの間には、ロック部材５の移動方向にかけて所定の空隙が設定されている。
【００６４】
この構成によれば、ロック部材５が退避動作する際に、第１係合部１５ａと係合受け部５ｃとが係合し、その退避動作が妨げられるといった事態を抑制することができる。
【００６５】
また、本実施形態では、ロック部材５の内側壁面において連結孔４内へ進入する領域には、窪み形状の段差部５ａ１が設けられている。
【００６６】
この構成によれば、連結孔４内に挿入された挿入部５２が抜去方向へと移動する場合に、被係合溝５２ａの内側壁面がロック部材５（段差部５ａ１）に突き当たるまでに一定のストローク量が確保される。このストローク量の存在により、回動部材１５の回動が可能となり、上述の動作を有効に実現することができる。
【００６７】
また、本実施形態において、規制手段は、挿入部５２の抜去方向に向けて回動部材１５の延出部１５ｂを付勢する圧縮スプリング（付勢手段）１８をさらに有している。
【００６８】
ここで、ケース３は、一方の連通孔４と他方の連通孔４との間を、挿入部５２の挿入方向に沿って連通する圧縮スプリング挿通孔３ａを有している。圧縮スプリング挿通孔３ａには、圧縮スプリング１８が挿通されている。そして、圧縮スプリング１８は、その両端が、左右の連結孔４内に各々挿通された回動部材１５の延出部１５ｂにそれぞれ当接するように配置されている。
【００６９】
この構成によれば、連結孔４内に挿入部５２が挿入されていないときには、第１係合部１５ａが係合受け部５ｃから外れた状態が維持されるので、ロック部材５の進退動作が妨げられることがない。これにより、プラグ７へのキー操作を行うことなく、連結孔４内に挿入部５２を挿入する操作のみで、挿入部５２を連結することができる。
【００７０】
なお、上述した実施形態では、第２カム部２２の設定により、回動部材１５の回動動作を実施している。しかしながら、本実施形態に係る錠装置１の構成は、カム部材２０の第２カム部２２や、回動部材１５の第２係合部１５ｄを省略した態様であってもよい。
【００７１】
ここで、図９は、第１の実施形態に係る錠装置１の変形例を示す説明図である。同図において、（ａ）は施錠位置において拘束体５０が連結された状態の錠装置１を示す説明図であり、（ｂ）は施錠位置と解錠位置との間に位置する錠装置１を示す説明図である。
【００７２】
プラグ７が施錠位置から解錠位置に向けて回転操作されると、ロック部材５のカム当接部５ｂが第１カム部２１の斜面部２１ｃに乗り上げる。これにより、ロック部材５が係合位置から退避し、下方へと移動する。図９に示すように、第１係合部１５ａと係合受け部５ｃとが係合した状態において、第１係合部１５ａと係合受け部５ｃとの間に、ロック部材５の移動方向にかけて空隙が設定されている。そのため、ロック部材５は、退避動作が第１係合部１５ａにより妨げられることなく、正常に退避することができる（図９（ａ）参照）。
【００７３】
ロック部材５の内側壁面には段差部５ａ１が形成されているため、被係合溝５２ａの壁面がロック部材５（段差部５ａ１）に突き当たるまでに一定のストローク量が存在する。このストローク量の存在により、圧縮スプリング１８からの力を受けた延出部１５ｂが挿入部５２を抜去方向へと押すことが可能となる。同時に、回動部材１５の回動により、第１係合部１５ａは係合受け部５ｃから外れる方向へと移動する（図９（ｂ）参照）。これにより、上述した通り、挿入部５２の抜去操作が可能となる。
【００７４】
この変形例によれば、回動部材１５の第１係合部１５ａが係合受け部５ｃと係合するため、ロック部材５が係合解除方向へと移動することが規制される。また、この状態では、連結孔４内に工具等が差し込まれることで、ロック部材５が退避し、ロック部材５と挿入部５２との係合状態が解除される事態を抑制することができる。
【００７５】
（第２の実施形態）
以下、第２の実施形態に係る錠装置１について説明する。ここで、図１０は、本実施形態に係る錠装置１の内部構造を模式的に示す説明図である。図１１は、本実施形態に係るカム部材２０の説明図である。同図において、（ａ）はカム部材２０を下方から眺めた図であり、（ｂ）は（ａ）に示すカム部材２０に関するＡ１矢視図であり、（ｃ）は（ａ）に示すカム部材２０に関するＡ２矢視図である。
【００７６】
この錠装置１は、第１の実施形態に示す回動部材１５に代えて、プラグ７が施錠位置にあるときにロック部材５に対して係合解除方向への移動を規制する規制手段を備えている。本実施形態において、規制手段は、カム部材２０に突設された突起部２４である。この突起部２４は、プラグ７が施錠位置にあるときに、係合解除方向にかけてカム当接部５ｂと隣接する位置に配置されている。すなわち、この突起部２４は、プラグ７が施錠位置にあるときに、第１カム部２１の低背部２１ａとの間にカム当接部５ｂを挟み込むように設定されている（図１０参照）。
【００７７】
また、プラグ７が施錠位置から解錠位置へと回転操作されると、第１カム部２１に従ってカム当接部５ｂが下方へと移動する必要がある。そのため、突起部２４は、第１カム部２１によるカム当接部５ｂの押し下げ動作を妨げないように、幅狭に、すなわち、周方向にかけて一定の範囲内に収まるように限定的に形成されている。
【００７８】
このように本実施形態において、規制手段は、カム部材２０に突設された突起部２４である。この突起部２４は、プラグ７が施錠位置にあるときに、係合解除方向にかけてカム当接部５ｂと隣接する位置に配置されている。
【００７９】
この構成によれば、ロック部材５が係合解除方向へと移動すると、カム当接部５ｂが突起部２４に突き当たることとなり、ロック部材５の移動を規制することができる。これにより、連結孔４内に工具等が差し込まれることで、ロック部材５が退避し、ロック部材５と挿入部５２との係合状態が解除される事態を抑制することができる。これにより、防盗性を高めることができる。
【００８０】
もっとも、本実施形態では、プラグ７が施錠位置にあるときには、ロック部材５の移動が常時規制されることとなるので、挿入部５２を連結孔４内に挿入する場合には、プラグ７を解錠位置へと一旦回転操作する必要がある。しかしながら、このような構成であっても、防盗性を高めることができる。
【００８１】
以上、本実施形態に係る錠装置について説明したが、本発明は上述した実施形態に限定されることなく、その発明の範囲内において種々の変形が可能であることはいうまでもない。例えば、上述した実施形態では、拘束体の両端に位置する２つの被係合溝に対応する構成となっているが、拘束体の一端がケースに予め固定され、その他端のみが係合するような構成であってもよい。また、上述した実施形態では、プラグを施錠位置から時計回り、すなわち右方向に回転させて回転方向に対応する右側のロック部材及び回動部材の動作を示した。しかしながら、プラグを反時計回り、すなわち左方向に回転させた場合には、回転方向に対応する左側のロック部材及び回動部材が同様に動作するものである。
【符号の説明】
【００８２】
１      錠装置
３      ケース
４      連結孔
５      ロック部材
５ａ１  段差部
５ａ２  ガイド斜面
５ｂ    カム当接部
５ｃ    係合受け部
６      圧縮スプリング
７      プラグ
７ａ    キー差込口
８      解錠キー
１５      回動部材
１５ａ    第１係合部
１５ｂ    延出部
１５ｃ    軸受部
１５ｄ    第２係合部
１７      支持部材
１８      圧縮スプリング
２０      カム部材
２１      第１カム部
２２      第２カム部
２４      突起部
【図１】
2017214740.tif 000003
【図２】
2017214740.tif 000004
【図３】
2017214740.tif 000005
【図４】
2017214740.tif 000006
【図５】
2017214740.tif 000007
【図６】
2017214740.tif 000008
【図７】
2017214740.tif 000009
【図８】
2017214740.tif 000010
【図９】
2017214740.tif 000011
【図１０】
2017214740.tif 000012
【図１１】
2017214740.tif 000013